(57)【要約】【課題】製造が容易で、製造時間の短縮を図ることができるとともに、仕上がりがきれいな筒状二股カバーを提供する。【解決手段】１枚の帯状の生地１から成る。一端１ａに長さ方向に沿って伸びる３本の切込み２ａ，２ｂ，２ｃを有する。各切込み２ａ，２ｂ，２ｃのうち中央の切込み２ｂは両側の切込み２ａ，２ｃより長い。中央の切込み２ｂに沿った２つの縁が互いに着脱可能に結合される。長さ方向に沿った２つの外縁５ａ，５ｂを互いに着脱可能に結合させることにより筒状に構成される。両側の切込み２ａ，２ｃにより形成される２つの分岐部８ａ，８ｂが両側の切込み２ａ，２ｃに沿ったそれぞれ２つの縁を分岐部８ａ，８ｂごとに互いに結合させることにより筒状に構成されている。【選択図】図１
0003118270.tif 000002
【実用新案登録請求の範囲】
【請求項１】
１枚の帯状の生地から成り、一端に長さ方向に沿って伸びる２本の切込みを有し、長さ方向に沿った２つの外縁を互いに結合させることにより筒状に構成され、各切込みにより形成される２つの分岐部が各切込みに沿ったそれぞれ２つの縁を分岐部ごとに互いに結合させることにより筒状に構成されていることを特徴とする筒状二股カバー。
【請求項２】
１枚の帯状の生地から成り、一端に長さ方向に沿って伸びる３本の切込みを有し、各切込みのうち中央の切込みは両側の切込みより長く、中央の切込みに沿った２つの縁が互いに着脱可能に結合され、長さ方向に沿った２つの外縁を互いに着脱可能に結合させることにより筒状に構成され、前記両側の切込みにより形成される２つの分岐部が前記両側の切込みに沿ったそれぞれ２つの縁を分岐部ごとに互いに結合させることにより筒状に構成されていることを特徴とする筒状二股カバー。
【考案の詳細な説明】
【技術分野】
【０００１】
本考案は、例えば、排泄物を吸引処理する際に用いる吸引ホースのためのカバーに用いられる筒状二股カバーに関する。
【背景技術】
【０００２】
従来、介護を受ける老人や病人が寝たままで排泄した汚物を処理するための吸引式の排泄処理装置が開発されている。このような排泄処理装置は、洗浄水供給用ホースと排泄物吸引用ホースとを備えている（例えば、特許文献１参照）。
排泄処理装置の洗浄水供給用ホースおよび排泄物吸引用ホースは、ベッド上で使用者の脚を越えて装置本体に接続される。通常、プラスチックから成るホースが脚に触れると、感触が悪いうえ、洗浄水供給用ホースには温水が流されるため、生地などから成るカバーで覆われる。そのカバーは、洗浄水供給用ホースと排泄物吸引用ホースとをまとめて収容する太い筒状部分と、端部で各ホースを別々に収容する２つの細い筒状部分とを有する。２つの細い筒状部分は、一方の筒状部分に別体の短い筒状部分の一端を縫合することにより作られる。
【０００３】
【特許文献１】特開２００１−０７９０２８号公報
【考案の開示】
【考案が解決しようとする課題】
【０００４】
しかしながら、一方の筒状部分に別体の短い筒状部分の一端を縫合して２つの筒状部分を作る場合、短い筒状部分の一端を１周するように縫合する必要があるため、縫合しにくく、製造に熟練と時間を要するという課題があった。また、仕上がりの見栄えが悪いという課題もあった。
【０００５】
本考案は、このような従来の課題に着目してなされたもので、製造が容易で、製造時間の短縮を図ることができるとともに、仕上がりがきれいな筒状二股カバーを提供することを目的とする。
【課題を解決するための手段】
【０００６】
上記目的を達成するために、本考案に係る筒状二股カバーは、１枚の帯状の生地から成り、一端に長さ方向に沿って伸びる２本の切込みを有し、長さ方向に沿った２つの外縁を互いに結合させることにより筒状に構成され、各切込みにより形成される２つの分岐部が各切込みに沿ったそれぞれ２つの縁を分岐部ごとに互いに結合させることにより筒状に構成されていることを特徴とする。
【０００７】
特に、本考案に係る筒状二股カバーは、１枚の帯状の生地から成り、一端に長さ方向に沿って伸びる３本の切込みを有し、各切込みのうち中央の切込みは両側の切込みより長く、中央の切込みに沿った２つの縁が互いに着脱可能に結合され、長さ方向に沿った２つの外縁を互いに着脱可能に結合させることにより筒状に構成され、前記両側の切込みにより形成される２つの分岐部が前記両側の切込みに沿ったそれぞれ２つの縁を分岐部ごとに互いに結合させることにより筒状に構成されていることが好ましい。
【０００８】
本考案において、縁の結合は、縫合、接着、面ファスナー、ジッパー、ボタン、その他の方法が可能である。着脱可能に結合させる方法は、ジッパーが好ましいが、面ファスナー、ボタン、その他の方法であってもよい。
【０００９】
本考案に係る筒状二股カバーは、１枚の帯状の生地から成るため、別体の筒状の生地を縫合する場合に比べて製造が容易で、製造時間の短縮を図ることができるとともに、仕上がりをきれいにすることができる。長さ方向に沿った２つの外縁が互いに着脱可能な場合には、ホース等を端部から長さ方向に挿入しなくても、ホース等を並べて配置して側部から内部に収納することができるので、ホース等の収納を容易にすることができる。
【考案の効果】
【００１０】
本考案によれば、製造が容易で、製造時間の短縮を図ることができるとともに、仕上がりがきれいな筒状二股カバーを提供することができる。
【考案を実施するための最良の形態】
【００１１】
以下、図面に基づき本考案の実施の形態について説明する。
図１は、本考案の実施の形態の筒状二股カバーを示している。
図１（Ａ）および（Ｂ）に示すように、筒状二股カバーは、１枚の帯状の生地１を縫合して成っている。生地１は、一端１ａの幅が末広がりに大きくなっている。生地１は、一端１ａに長さ方向に沿って伸びる３本の切込み２ａ，２ｂ，２ｃを有している。各切込み２ａ，２ｂ，２ｃのうち中央の切込み２ｂは、両側の切込み２ａ，２ｃより長くなっている。生地１は、一端１ａが各切込み２ａ，２ｂ，２ｃにより分かれた部分ごとに裏側に折り返して縫合されている。生地１の他端もまた、裏側に折り返して縫合されている。
【００１２】
中央の切込み２ｂに沿った２つの縁３ａ，３ｂには１対のジッパー４が縫合されており、互いに着脱可能に結合させることができる。ジッパー４は、生地１の一端１ａとの間に間隔をあけて取り付けられている。
【００１３】
生地１は、長さ方向に沿った２つの外縁５ａ，５ｂに１対のジッパー６が縫合されており、互いに着脱可能に結合させることができる。ジッパー６は、両端が生地１の両端との間に間隔をあけて取り付けられている。生地１は、ジッパー６を閉じたとき、太い筒状部分７を構成する。
両側の切込み２ａ，２ｃにより形成される２つの分岐部８ａ，８ｂは、両側の切込み２ａ，２ｃに沿ったそれぞれ２つの縁９ａ，９ｂ，９ｃ，９ｄが分岐部８ａ，８ｂごとに、縁９ａと縁９ｄ、縁９ｂと縁９ｃで互いに縫合してある。２つの分岐部８ａ，８ｂは、ジッパー４，６を閉じたとき、それぞれ細い筒状部分１０，１１を構成する。
【００１４】
２つの分岐部８ａ，８ｂには、それぞれ一端１ａの表側および裏側の縁に、互いに着脱可能な面ファスナー１２，１３が取り付けられている。面ファスナー１２，１３のメス側１２ａ，１３ａは、オス側１２ｂ，１３ｂより長く、幅方向に伸びている。筒状二股カバーの他端にも、他端の表側および裏側の縁に、互いに着脱可能な面ファスナーが取り付けられている。これらの面ファスナーのメス側とオス側との取付け位置を調節することにより、取付け位置の内径を窄め、カバーを確実にホース等に取り付けることができる。また、図１（Ａ）に示すように、太い筒状部分７の内側には、ホース固定用の面ファスナー１４，１５が取り付けられている。
【００１５】
次に、作用について説明する。
筒状二股カバーは、吸引式の排泄処理装置２０の排泄物吸引用ホース２１と洗浄水供給用ホース２２とを収容するために用いられる。排泄物吸引用ホース２１は排泄物吸引部２３に接続され、洗浄水供給用ホース２２は洗浄水供給部２４に接続されている。太い筒状部分６には排泄物吸引用ホース２１および洗浄水供給用ホース２２の両方が収容され、細い筒状部分１０，１１には排泄物吸引用ホース２１と洗浄水供給用ホース２２とが分かれて収容される。排泄処理装置２０は、介護を受ける老人や病人が寝たままで排泄した汚物を処理するために用いられる。
【００１６】
筒状二股カバーは、１枚の帯状の生地１から成るため、別体の筒状の生地を縫合する場合に比べて製造が容易で、製造時間の短縮を図ることができるとともに、仕上がりをきれいにすることができる。筒状二股カバーは、排泄物吸引用ホース２１と洗浄水供給用ホース２２とを端部から長さ方向に挿入しなくても、長さ方向に沿って各ホース２１，２２を並べて配置して側部のジッパー６を開き、そこから内部に収納することができるので、ホース２１，２２の収納を容易にすることができる。排泄物吸引用ホース２１は、ジッパー６から取り出して洗浄することができる。排泄物吸引用ホース２１の先端部は太くなっているが、ジッパー４を開くことにより分岐部８ａに通りやすくすることができる。
【図面の簡単な説明】
【００１７】
【図１】本考案の実施の形態の筒状二股カバーの（Ａ）要部展開図、（Ｂ）使用状態を示す平面図である。
【符号の説明】
【００１８】
１    生地
２ａ，２ｂ，２ｃ  切込み
３ａ，３ｂ  縁
４  ジッパー
５ａ，５ｂ  外縁
６  ジッパー
７  太い筒状部分
８ａ，８ｂ  分岐部
９ａ，９ｂ，９ｃ，９ｄ  縁
１０，１１  細い筒状部分
【図１】
0003118270.tif 000003